(57)【要約】【課題】ＵＰＳのバッテリーの交換を容易にすることができる情報処理装置及びプログラムを提供する。【解決手段】情報処理装置は、筐体と、電源部と、監視部と、記憶制御部と、充電部と、接続部とを備える。前記筐体は、挿入部を有する。前記電源部は、外部電源から電力の供給を受け付ける。前記監視部は、前記電源部から電力が供給されているかを監視する。前記記憶制御部は、前記監視部が電力の供給停止を検知したことを条件に、揮発性の第１記憶部に記憶されているデータを、不揮発性の第２記憶部に記憶させる処理を実行する。前記充電部は、前記記憶制御部の前記処理に使用する電力を供給する二次電池を充電する。前記接続部は、前記挿入部から挿入された前記二次電池と着脱可能に接続される。【選択図】図２
2019020976.tif 000002
【特許請求の範囲】
【請求項１】
挿入部を有する筐体と、
外部電源から電力の供給を受け付ける電源部と、
前記電源部から電力が供給されているかを監視する監視部と、
前記監視部が電力の供給停止を検知したことを条件に、揮発性の第１記憶部に記憶されているデータを、不揮発性の第２記憶部に記憶させる処理を実行する記憶制御部と、
前記記憶制御部の前記処理に使用する電力を供給する二次電池を充電する充電部と、
前記挿入部から挿入された前記二次電池と着脱可能に接続される接続部と、
を備える情報処理装置。
【請求項２】
前記挿入部は、携帯可能な携帯端末と共用する前記二次電池の挿入を受け付ける、
請求項１に記載の情報処理装置。
【請求項３】
前記二次電池に充電可能な容量が閾値以下であることを条件に報知する報知部を更に備える、
請求項１又は２に記載の情報処理装置。
【請求項４】
前記報知部は、前記二次電池に充電可能な容量が閾値以下であることを外部装置に送信する、
請求項３に記載の情報処理装置。
【請求項５】
前記二次電池と接続されていないことを条件に、起動を中止する起動制御部を更に備える、
請求項１乃至４の何れか一項に記載の情報処理装置。
【請求項６】
挿入部を有する筐体と、
外部電源から電力の供給を受け付ける電源部と、
前記電源部から電力が供給されているかを監視する監視部と、
前記監視部が電力の供給停止を検知したことを条件に、揮発性の第１記憶部に記憶されているデータを、不揮発性の第２記憶部に記憶させる処理を実行する記憶制御部と、
前記記憶制御部の前記処理に使用する電力を供給する二次電池を充電する充電部と、
前記挿入部から挿入された前記二次電池と着脱可能に接続される接続部と、を備える情報処理装置のコンピュータを、
前記二次電池に充電可能な容量が閾値以下であることを条件に報知する報知部と、
して機能させるためのプログラム。
【発明の詳細な説明】
【技術分野】
【０００１】
本発明の実施形態は、情報処理装置及びプログラムに関する。
【背景技術】
【０００２】
従来、サーバ装置やパーソナルコンピュータ等の情報処理装置では、停電時にデータが消失してしまうことを防止するために、ＵＰＳ（Uninterruptible  Power  System）を備えているものがある。
【０００３】
ＵＰＳは、停電が発生するとバッテリーの電力を使用して、電力が供給されていないとデータを保持することができない揮発性の記憶媒体に記憶されているデータを、電力が供給されていなくてもデータを保持することが可能な不揮発性の記憶媒体に記憶させるシステムである。
【０００４】
ここで、バッテリーは、使用されていなくても放電してしまう。そのため、情報処理装置は、バッテリーを一定期間が経過するごとに充電する。しかし、バッテリーは、繰り返し充電が行われると劣化してしまい、充電可能な容量が低下してしまう。充電可能な容量が低下すると、ＵＰＳに必要な電力が足りなくなりデータを記憶させることができなくなってしまうため、保守者は、適宜ＵＰＳのバッテリーを交換しなければならなかった。しかしながら、ＵＰＳのバッテリーは、情報処理装置の内部に格納されており、交換には専門的な知識や技能が必要になっていた。
【発明の概要】
【発明が解決しようとする課題】
【０００５】
本発明が解決しようとする課題は、ＵＰＳのバッテリーの交換を容易にすることができる情報処理装置及びプログラムを提供することである。
【課題を解決するための手段】
【０００６】
実施形態の情報処理装置は、筐体と、電源部と、監視部と、記憶制御部と、充電部と、接続部とを備える。前記筐体は、挿入部を有する。前記電源部は、外部電源から電力の供給を受け付ける。前記監視部は、前記電源部から電力が供給されているかを監視する。前記記憶制御部は、前記監視部が電力の供給停止を検知したことを条件に、揮発性の第１記憶部に記憶されているデータを、不揮発性の第２記憶部に記憶させる処理を実行する。前記充電部は、前記記憶制御部の前記処理に使用する電力を供給する二次電池を充電する。前記接続部は、前記挿入部から挿入された前記二次電池と着脱可能に接続される。
【図面の簡単な説明】
【０００７】
【図１】図１は、本実施形態に係る注文システムの一例を示す説明図である。
【図２】図２は、ステーションの外観を示した斜視図である。
【図３】図３は、ステーションのハードウェア構成の一例を示すブロック図である。
【図４】図４は、ステーションの特徴的な機能構成の一例を示すブロック図である。
【図５】図５は、交換判定処理の一例を示すフローチャートである。
【図６】図６は、接続判定処理の一例を示すフローチャートである。
【発明を実施するための形態】
【０００８】
以下、添付図面を参照して、情報処理装置及びプログラムの実施形態を詳細に説明する。なお、以下に説明する実施形態は、情報処理装置及びプログラムの一実施形態であって、その構成や仕様等を限定するものではない。本実施形態の情報処理装置は、飲食店に導入された注文システムのステーションへの適用例である。
【０００９】
図１は、本実施形態に係る注文システム１の一例を示す説明図である。注文システム１は、飲食店にて顧客の注文を受け付けるシステムである。注文システム１は、ステーション１０と、ＰＯＳ（Point  Of  Sales）端末２０と、アクセスポイント３０と、注文端末４０と、プリンタ５０と、充電器６０とを備える。ステーション１０と、ＰＯＳ端末２０と、アクセスポイント３０とは、有線ＬＡＮ（Local  Area  Network）等のネットワークを介して通信可能に接続されている。そして、アクセスポイント３０は、注文端末４０及びプリンタ５０と無線ＬＡＮ等により通信可能に接続されている。なお、図１に示す注文システム１は、各装置を一台ずつ備えているが複数台ずつ備えていてもよい。また、注文システム１は、ＰＯＳ端末２０と、アクセスポイント３０と、プリンタ５０と、充電器６０とを備えていなくてもよい。
【００１０】
ステーション１０は、サーバ装置やパーソナルコンピュータ等の情報処理装置である。ステーション１０は、注文システム１の各装置を統括する。例えば、ステーション１０は、注文システム１の各装置から受信した各種情報を記憶する。また、ステーション１０は、注文システム１の各装置に各種情報を送信する。そして、ステーション１０は、ＵＰＳ（Uninterruptible  Power  System）を備えている。
【００１１】
ＰＯＳ端末２０は、顧客に提供した飲食物の会計処理を実行する販売データ処理装置である。ＰＯＳ端末２０は、ステーション１０から送信された情報に基づいて、会計処理を実行する。
【００１２】
アクセスポイント３０は、通信を中継する中継装置である。例えば、アクセスポイント３０は、ステーション１０と注文端末４０との間の通信を中継する。また、アクセスポイント３０は、ステーション１０とプリンタ５０との間の通信を中継する。
【００１３】
注文端末４０は、携帯可能な携帯端末である。注文端末４０は、顧客が注文した料理等の注文内容の入力を受け付ける。そして、注文端末４０は、注文内容が確定した場合に、ステーション１０に送信する。また、注文端末４０は、注文端末４０の各部に電力を供給するバッテリー７０（図３参照）を備えている。バッテリー７０は、注文端末４０から着脱可能になっている。
【００１４】
プリンタ５０は、例えば調理場等に設置される印刷装置である。例えば、プリンタ５０は、ステーション１０から送信された顧客の注文内容を受信した場合に、受信した注文内容を印字する。料理人は、印字された注文内容が示す料理等を作成する。
【００１５】
充電器６０は、注文端末４０のバッテリー７０を充電する装置である。
【００１６】
次に、ステーション１０の外観について説明する。ここで、図２は、ステーション１０の外観を示した斜視図である。
【００１７】
ステーション１０は、略立方体形状の筐体１１を備えている。筐体１１は、ステーション１０を覆う外装カバーである。ステーション１０は、筐体１１の正面に、電源スイッチ１２と、電源ＬＥＤ（Light  Emitting  Diode）１３１と、交換ＬＥＤ１３２と、接続ＬＥＤ１３３と、バッテリー挿入部１４とを備える。ステーション１０は、筐体１１の正面以外の面に、電源スイッチ１２と、電源ＬＥＤ１３１と、交換ＬＥＤ１３２と、接続ＬＥＤ１３３と、バッテリー挿入部１４とを備えていてもよい。
【００１８】
電源スイッチ１２は、ステーション１０の電源を入れるスイッチである。ステーション１０は、電源スイッチ１２により電源が入れられた場合に起動する。
【００１９】
電源ＬＥＤ１３１は、電源が入れられている状態であることを示すＬＥＤである。例えば、電源ＬＥＤ１３１は、ステーション１０の電源が入れられている場合に点灯する。交換ＬＥＤ１３２は、ＵＰＳに使用されるバッテリー７０（図３参照）の交換時期を示すＬＥＤである。例えば、交換ＬＥＤ１３２は、バッテリー７０の交換時期になった場合に点灯する。接続ＬＥＤ１３３は、バッテリー７０がバッテリー挿入部１４に設けられた接続端子１０８（図３参照）と接続しているか否かを示すＬＥＤである。例えば、接続ＬＥＤ１３３は、バッテリー７０が接続端子１０８と接続している場合に点灯する。
【００２０】
バッテリー挿入部１４は、ＵＰＳに使用されるバッテリー７０が着脱可能に挿入される挿入部である。例えば、バッテリー挿入部１４は、筐体１１に設けられた開口である。バッテリー挿入部１４は、押し込まれることによりバッテリー７０の挿入を受け付ける。バッテリー挿入部１４は、内部に接続端子１０８を備えている。そして、バッテリー７０は、バッテリー挿入部１４に挿入されることにより接続端子１０８と接続する。バッテリー挿入部１４は、バッテリー挿入部１４から引き出されることによりバッテリー７０を排出する。なお、バッテリー挿入部１４は、押し込まれる場合に限らず、バッテリー７０を搬送する搬送部等によりバッテリー７０を接続端子１０８と接続させてもよい。また、バッテリー挿入部１４は、排出スイッチ等が押下された場合に、バッテリー７０を排出してもよい。さらに、バッテリー挿入部１４は、開口を閉じることが可能な蓋を備えていてもよい。
【００２１】
次に、ステーション１０のハードウェア構成について説明する。
【００２２】
図３は、ステーション１０のハードウェア構成の一例を示すブロック図である。ステーション１０は、制御部１００と、記憶部１０４と、通信インタフェース１０５と、電源部１０６と、ＵＰＳ部１０７と、接続端子１０８と、電圧調整部１０９と、充電部１１０と、バッテリー容量測定部１１１と、電源ＬＥＤ１３１と、交換ＬＥＤ１３２と、接続ＬＥＤ１３３とを備える。これら各部は、データバスやアドレスバス等のシステムバス１１２を介して相互に接続している。
【００２３】
制御部１００は、ステーション１０の全体の動作を制御し、ステーション１０が有する各種の機能を実現するコンピュータである。制御部１００は、ＣＰＵ（Central  Processing  Unit）１０１と、ＲＯＭ（Read  Only  Memory）１０２と、ＲＡＭ（Random  Access  Memory）１０３とを備える。ＣＰＵ１０１は、ステーション１０の動作を統括的に制御する。ＲＯＭ１０２は、各種プログラムやデータを記憶する記憶媒体である。ＲＡＭ１０３は、各種プログラムや各種データを一時的に記憶する記憶媒体である。そして、ＣＰＵ１０１は、ＲＡＭ１０３をワークエリア（作業領域）としてＲＯＭ１０２又は記憶部１０４等に格納されたプログラムを実行する。
【００２４】
また、ＲＡＭ１０３は、第１記憶部の一例である。ＲＡＭ１０３は、電力が供給されていることを条件に、データを保持する揮発性の記憶媒体である。すなわち、ＲＡＭ１０３は、電力が供給されていないとデータを保持することができない。
【００２５】
記憶部１０４は、ＨＤＤ（Hard  Disk  Drive）やＳＳＤ（Solid  State  Drive）などの記憶装置である。記憶部１０４は、制御プログラム１１３を記憶する。制御プログラム１１３は、オペレーティングシステムや、ステーション１０が備えている機能を発揮させるためのプログラムである。制御プログラム１１３には、本実施形態に係る特徴的な機能を発揮させるプログラムが含まれる。
【００２６】
また、記憶部１０４は、第２記憶部の一例である。記憶部１０４は、電力が供給されていない場合であってもデータを保持する不揮発性の記憶媒体である。
【００２７】
通信インタフェース１０５は、ネットワークを介して、ＰＯＳ端末２０と通信するためのインタフェースである。また、通信インタフェース１０５は、ネットワーク及びアクセスポイント３０を介して、注文端末４０やプリンタ５０と通信するためのインタフェースである。
【００２８】
電源部１０６は、ステーション１０の外部に設けられた外部電源から電力の供給を受ける電源回路等である。電源部１０６は、ステーション１０の各部に電力を供給する。
【００２９】
ＵＰＳ部１０７は、監視部の一例である。ＵＰＳ部１０７は、電源部１０６から電力が供給されているか否かを監視する。ＵＰＳ部１０７は、電源部１０６から電力が供給されていないことを条件に、ステーション１０の各部に電力を供給する供給元を電源部１０６からバッテリー７０に切り替える。
【００３０】
接続端子１０８は、バッテリー挿入部１４から挿入されたバッテリー７０と、ステーション１０とを着脱可能に接続させる端子である。
【００３１】
バッテリー７０は、リチウムイオン電池等の充電可能な二次電池である。例えば、バッテリー７０は、電源部１０６から電力が供給されていない場合に、ＲＡＭ１０３等の揮発性の記憶媒体に記憶されているデータを、記憶部１０４等の不揮発性の記憶媒体に記憶させるＵＰＳ処理に使用するための電力を供給する。また、バッテリー７０は、注文システム１の各種装置にも使用される。例えば、ステーション１０は、注文端末４０とバッテリー７０を共用する。なお、ステーション１０は、注文端末４０に限らず、他の装置とバッテリー７０を共用してもよい。また、他の装置において、バッテリー７０は、ＵＰＳ処理に限らず、通常の処理等に使用されるものであってもよい。
【００３２】
電圧調整部１０９は、バッテリー７０から供給された電力の電圧を調整する。例えば、電圧調整部１０９は、バッテリー７０の電圧を昇圧する昇圧回路である。バッテリー７０は、注文端末４０等の他の装置と共用している。ここで、注文端末４０は、顧客からの注文を入力する携帯端末であるため、低い電圧で駆動することができる。一方、ステーション１０は、サーバ装置として機能するため、注文端末４０と同じ電圧では駆動することができない。バッテリー７０は、注文端末４０で使用されることが主目的であるため、電圧が低く、ステーション１０がＵＰＳ処理を実行するには電圧が足りない。そこで、電圧調整部１０９は、バッテリー７０の電圧を昇圧する。
【００３３】
充電部１１０は、電源部１０６から供給された電力をバッテリー７０に充電する充電器である。
【００３４】
バッテリー容量測定部１１１は、バッテリー７０の電気容量を測定する。例えば、バッテリー容量測定部１１１は、ＩＣ（Integrated  Circuit）チップである。例えば、バッテリー容量測定部１１１は、バッテリー７０の抵抗を測定する等によりバッテリー７０の電気容量を測定する。
【００３５】
次に、ステーション１０の特徴的な機能について説明する。ここで、図４は、ステーション１０の特徴的な機能構成の一例を示すブロック図である。
【００３６】
ステーション１０の制御部１００は、記憶部１０４の制御プログラム１１３をＲＡＭ１０３に展開し、制御プログラム１１３に従って動作することで、図４に示す各機能部をＲＡＭ１０３上に生成する。具体的には、ステーション１０の制御部１００は、機能部として、通信制御部１００１と、記憶制御部１００２と、充電制御部１００３と、交換判定部１００４と、交換報知部１００５と、接続判定部１００６と、接続報知部１００７と、起動制御部１００８とを備える。
【００３７】
通信制御部１００１は、通信インタフェース１０５を制御して、ネットワークを介した通信を実行する。例えば、通信制御部１００１は、ＰＯＳ端末２０やアクセスポイント３０との通信を実行する。また、通信制御部１００１は、アクセスポイント３０を介して、注文端末４０やプリンタ５０との通信を実行する。
【００３８】
記憶制御部１００２は、ＵＰＳ部１０７が電源部１０６から電力の供給停止を検知した場合に、ＲＡＭ１０３等の揮発性の記憶媒体に記憶されているデータを、記憶部１０４の不揮発性の記憶媒体に記憶させるＵＰＳ処理を実行する。
【００３９】
充電制御部１００３は、バッテリー容量測定部１１１を制御して、バッテリー７０に充電されている電気容量を測定する。そして、充電制御部１００３は、電気容量がバッテリー７０を充電する充電閾値以下になった場合に、電源部１０６から供給されている電力をバッテリー７０に充電する。なお、充電制御部１００３は、充電閾値以下になった場合に限らず、一定期間が経過するごとに電源部１０６から供給されている電力をバッテリー７０に充電してもよい。
【００４０】
交換判定部１００４は、バッテリー容量測定部１１１を制御して、バッテリー７０を交換するか否かを判定する。ここで、バッテリー７０は、充電を繰り返すことにより、充電可能な電力容量の上限が低下する。交換判定部１００４は、バッテリー７０に充電可能な電力容量の上限が交換閾値以下になった場合に、バッテリー７０の交換が必要と判定する。
【００４１】
交換報知部１００５は、報知部の一例である。交換報知部１００５は、交換判定部１００４がバッテリー７０の交換が必要と判定した場合に、報知する。例えば、交換報知部１００５は、交換ＬＥＤ１３２を点灯させることにより、バッテリー７０の交換が必要であることを報知する。また、交換報知部１００５は、バッテリー７０の交換が必要であることを示す交換要求を外部装置に送信することにより報知する。例えば、外部装置とは、ＰＯＳ端末２０や注文端末４０である。そして、外部装置は、交換要求を受信した場合に、バッテリー７０の交換が必要であることを示す画面やメッセージやアイコン等を表示部に表示させることにより報知する。
【００４２】
接続判定部１００６は、接続端子１０８にバッテリー７０が接続されているか否かを判定する。例えば、接続判定部１００６は、バッテリー挿入部１４に設けられているバッテリー７０が挿入されている場合に押下されるスイッチの状態や、接続端子１０８の電気的状態を測定することによりバッテリー７０が接続されているか否かを判定する。
【００４３】
接続報知部１００７は、接続判定部１００６が接続端子１０８にバッテリー７０が接続されていないと判定した場合に報知する。例えば、接続報知部１００７は、接続ＬＥＤ１３３を点灯させることにより、バッテリー７０が接続されていないことを報知する。
【００４４】
起動制御部１００８は、ステーション１０を起動させる起動処理を制御する。例えば、起動制御部１００８は、電源スイッチ１２が押下された場合に、起動処理を実行してステーション１０を起動する。しかし、起動制御部１００８は、接続判定部１００６が接続端子１０８にバッテリー７０が接続されていない場合に起動処理を中止して、ステーション１０を停止するシャットダウンを実行する。このように、起動制御部１００８は、接続されていない場合にステーション１０をシャットダウンすることにより、バッテリー７０が接続されていない状態でステーション１０が使用されてしまうことを防止する。
【００４５】
次に、ステーション１０が実行する交換判定処理について説明する。ここで、図５は、本実施形態のステーション１０が実行する交換判定処理の一例を示すフローチャートである。
【００４６】
充電制御部１００３は、バッテリー７０に充電されている電気容量が充電閾値以下であるか否かを判定する（ステップＳ１１）。充電制御部１００３は、電気容量が充電閾値より大きいことを条件に（ステップＳ１１；Ｎｏ）、待機する。
【００４７】
一方、充電制御部１００３は、電気容量が充電閾値以下であることを条件に（ステップＳ１１；Ｙｅｓ）、バッテリー７０を充電する（ステップＳ１２）。充電制御部１００３は、充電が完了したか否かを判定する（ステップＳ１３）。充電制御部１００３は、充電が完了していないことを条件に（ステップＳ１３；Ｎｏ）、ステップＳ１２に移行する。
【００４８】
交換判定部１００４は、充電が完了したことを条件に（ステップＳ１３；Ｙｅｓ）、バッテリー７０に充電可能な電力容量の上限が交換閾値以下であるか否かを判定する（ステップＳ１４）。ステーション１０は、バッテリー７０に充電可能な電力容量の上限が交換閾値より大きいことを条件に（ステップＳ１４；Ｎｏ）、交換判定処理を終了する。
【００４９】
交換報知部１００５は、バッテリー７０に充電可能な電力容量の上限が交換閾値以下であることを条件に（ステップＳ１４；Ｙｅｓ）、バッテリー７０の交換が必要であることを報知する（ステップＳ１５）。
【００５０】
以上により、ステーション１０は、交換判定処理を終了する。
【００５１】
次に、ステーション１０が実行する接続判定処理について説明する。ここで、図６は、本実施形態のステーション１０が実行する接続判定処理の一例を示すフローチャートである。
【００５２】
起動制御部１００８は、電源スイッチ１２の押下を検出する（ステップＳ２１）。
【００５３】
起動制御部１００８は、バッテリー７０と接続端子１０８とが接続されているか否かを判定する（ステップＳ２２）。
【００５４】
起動制御部１００８は、バッテリー７０と接続端子１０８とが接続されていることを条件に（ステップＳ２２；Ｙｅｓ）、ステーション１０を起動する（ステップＳ２３）。
【００５５】
一方、接続報知部１００７は、バッテリー７０と接続端子１０８とが接続されていないことを条件に（ステップＳ２２；Ｎｏ）、バッテリー７０が接続されていないことを報知する（ステップＳ２４）。
【００５６】
起動制御部１００８は、起動処理を中止して、ステーション１０を停止するシャットダウンを実行する（ステップＳ２５）。
【００５７】
以上により、ステーション１０は、接続判定処理を終了する。
【００５８】
以上のように、本実施形態のステーション１０によれば、ステーション１０は、筐体１１にバッテリー挿入部１４を備えている。従って、ユーザは、バッテリー挿入部１４に挿入されているバッテリー７０を引き出し、新しいバッテリー７０をバッテリー挿入部１４に挿入することにより、バッテリー７０を交換することができる。よって、ステーション１０は、ＵＰＳのバッテリー７０の交換を容易にすることができる。さらに、ステーション１０は、頻繁にバッテリー７０が交換される注文端末４０のバッテリー７０を、ＵＰＳのバッテリー７０として使用している。従って、ユーザは、ＵＰＳ用のバッテリーを別途用意する必要がない。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６０】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００６１】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００６２】
１  注文システム
１０  ステーション
１４  バッテリー挿入部
４０  注文端末
７０  バッテリー
１０７  ＵＰＳ部
１３１  電源ＬＥＤ
１３２  交換ＬＥＤ
１３３  接続ＬＥＤ
１００１  通信制御部
１００２  記憶制御部
１００３  充電制御部
１００４  交換判定部
１００５  交換報知部
１００６  接続判定部
１００７  接続報知部
１００８  起動制御部
【先行技術文献】
【特許文献】
【００６３】
【特許文献１】特開２０１３−２５４４２６号公報
【図１】
2019020976.tif 000003
【図２】
2019020976.tif 000004
【図３】
2019020976.tif 000005
【図４】
2019020976.tif 000006
【図５】
2019020976.tif 000007
【図６】
2019020976.tif 000008